(57)【要約】【課題】バッテリ−の何れかの極に震動及び浸水感知ブレ−カを設置して漏電による事故火災や津波火災を防止する。【解決手段】バッテリ−極を密封部で覆い、結合部で結合した内部において、バッテリ−の何れかの極より導電線を絶縁体脚に支えられた導電体に接続し、同導電体に導線経由で磁性体と結合した筒状絶縁体を施して、強い震動で密閉部の外部に同磁性体より下部の所定位置より吊り下げられた磁性体が、連結線で結線したリングとリング固定に支えられた錘が外れて落下して上昇し、また、紐は途中で２分岐され、他方は方向転換部経由で網を有するウキ防護容器の内部において、網の上に設けられたウキに結線され、浸水によりウキが上昇し密閉部の外部の磁性体が上昇することにより密閉部内部の磁性体を吸引することで筒状絶縁体を移動させ、導電体と導電体との接続していた部分を覆い、電流を遮断することを特徴とする震動及び浸水感知ブレ−カである。【選択図】図１
2017010864.tif 000002
【特許請求の範囲】
【請求項１】
バッテリ−極を密封部で覆われ、バッテリ−の何れかのバッテリ−極より導電線を接続して絶縁体脚に支えられた導電体Ａと外部の機器に接続された導電体Ｂとが接続し、導電体Ａは筒状絶縁体で覆われ移動可能な磁性体Ａに接続され、さらに密封部の外部において磁性体Ａより下方に磁性体Ｂを配置し、磁性体Ｂは紐により上部に設けられた所定位置より吊り下げられ、紐は所定位置より下方に位置したリングの上に配置した錘に結線され、震動により錘が落下することにより紐が引っ張られ磁性体Ｂが上昇することにより磁性体Ａに接近し、磁性体Ａを吸引することで導電体Ａを覆っていた筒状絶縁体も磁性体Ａと一緒に移動して導電体Ａと導電体Ｂの接続していた部分を覆い、電流を遮断することを特徴とするブレ−カ。
【請求項２】
紐は、途中で２分岐され、一方には、上記錘が結線され、他方には、上記所定位置より下部において、方向転換部経由で網を有するウキ防護容器の内部において、網の上に設けられたウキに網を通して結線され、浸水によりウキが上昇することにより紐が引っ張られ磁性体Ｂが上昇することにより磁性体Ａに接近し、磁性体Ａを吸引することで導電体Ａを覆っていた筒状絶縁体も磁性体Ａと一緒に移動して導電体Ａと導電体Ｂの接続していた部分を覆い、電流を遮断することを特徴とする請求項１に記載のブレ−カ。
【発明の詳細な説明】
【技術分野】
【０００１】
本発明は、バッテリ−を電源とする電流を遮断し、漏電による事故火災や津波火災を防止する震動及び浸水感知ブレ−カに関するものである。
【背景技術】
【０００２】
従来の感震ブレ−カは、送電線より送電された電流の家屋内のブレ−カに関するものであり、また、装置が複雑のため壊れやすく、さらに、震動及び浸水時等あらゆる状況下においても確実に作動するか疑問がある。
【０００３】
本発明は、従来の有するこのような問題点を鑑みて、その目的とするところは、震動、浸水を感知しあらゆる状況下においても電源を確実に遮断させるものである。
【先行技術文献】
【特許文献】
【０００４】
【特許文献１】特開２０００−９０８０５号公報
【発明の概要】
【発明が解決しようとする課題】
【０００５】
東日本大震災時の津波火災は、東京ド−ムの１２０個分、しかも、出火原因の32.3
％が車両火災、人口の多い都市部ほど津波火災の危険性が高いという調査結果があり、車両火災は、洩れたガソリンや壊れたタンクからの油に、バッテリ−の漏電による火災で、これらの出火原因に対して取り組みがなかった。
従来の感震ブレ−カは、送電線より送電された電流の家屋内のブレ−カに関するものである。また、装置が複雑のため壊れやすく、さらに、震動及び浸水時等あらゆる状況下においても確実に作動するか疑問がある。
【０００６】
本発明は、事故等による強い衝撃や津波等による浸水によりバッテリ−を電源とする漏電を防止するために, バッテリ−の何れかの極に震動及び浸水感知ブレ−カを設置して電流を遮断し、漏電による事故火災や津波火災を防止するものである。
【０００７】
また、本発明は、バッテリ−の漏電ブレ−カを作動させる装置であり、屋外や屋内に限定されない従来にない技術である。
【課題を解決するための手段】
【０００８】
バッテリ−極を密封部で覆われ、バッテリ−の何れかのバッテリ−極より導電線を接続して絶縁体脚に支えられた導電体Ａと外部の機器に接続された導電体Ｂとが接続し、導電体Ａは筒状絶縁体で覆われ移動可能な磁性体Ａに接続され、さらに密封部の外部において磁性体Ａより下方に磁性体Ｂを配置し、磁性体Ｂは紐により上部に設けられた所定位置より吊り下げられ、紐は所定位置より下方に位置したリングの上に配置した錘に結線され、震動により錘が落下することにより紐が引っ張られ磁性体Ｂが上昇することにより磁性体Ａに接近し、磁性体Ａを吸引することで導電体Ａを覆っていた筒状絶縁体も磁性体Ａと一緒に移動して導電体Ａと導電体Ｂの接続していた部分を覆い、電流を遮断することを特徴とするブレ−カ。  
【０００９】
紐は、途中で２分岐され、一方には、上記錘が結線され、他方には、上記所定位置より下部において、方向転換部経由で網を有するウキ防護容器の内部において、網の上に設けられたウキに網を通して結線され、浸水によりウキが上昇することにより紐が引っ張られ磁性体Ｂが上昇することにより磁性体Ａに接近し、磁性体Ａを吸引することで導電体Ａを覆っていた筒状絶縁体も磁性体Ａと一緒に移動して導電体Ａと導電体Ｂの接続していた部分を覆い、電流を遮断することを特徴とする請求項１に記載のブレ−カ。
【発明の効果】
【００１０】
事故等による強い衝撃や津波等による浸水に、バッテリ−を電源とする電流を遮断する震動及び浸水感知ブレ−カを設置することにより漏電による事故火災や津波火災から人命や大切な財産を守る点である。                      
また、この発明の震動及び浸水感知ブレ−カは安価に製造が可能で、しかも既存のバッテリ−に装着ができるため、広く普及をすることができる。
【図面の簡単な説明】
【００１１】
【図１】図１は、本考案の実施形態の通電中の震動及び浸水感知ブレ−カの斜視図である。
【図２】図２は、本考案の実施形態の通電中の震動及び浸水感知ブレ−カの部分側面図である。
【図３】図３は、本考案の実施形態の断電中の震動及び浸水感知ブレ−カの斜視図である。
【図４】図４は、本考案の実施形態の断電中の震動及び浸水感知ブレ−カの部分側面図である。
【発明を実施するための形態】
【００１２】
以下、図面を参照して、この発明の実施の形態を説明する。図１は通電中の図  で  バッテリ−極を密封部２で覆われ、バッテリ−の何れかのバッテリ−極３より導電線５を接続して絶縁体脚１４に支えられた導電体Ａ１３と外部の機器に接続された導電体Ｂ１１とが接続し、導電体Ａ１３は筒状絶縁体１２で覆われ移動可能な磁性体Ａ９に接続され、さらに密封部２の外部において磁性体Ａ９より下方に磁性体Ｂ８を配置し、磁性体Ｂ８は紐により上部に設けられた所定位置より吊り下げられ、紐は所定位置より下方に位置したリング２１の上に配置した錘２０に結線され、震動により錘２０が落下することにより紐が引っ張られ磁性体Ｂ８が上昇することにより磁性体Ａ９に接近し、磁性体Ａ９を吸引することで導電体Ａ１３を覆っていた筒状絶縁体１２も磁性体Ａ９と一緒に移動して導電体Ａ１３と導電体Ｂ１１の接続していた部分を覆い、電流を遮断することを特徴とするブレ−カ。
【００１３】
紐は、途中で２分岐され、一方には、上記錘２０が結線され、他方には、上記所定位置より下部において方向転換部１９経由で、網１８を有するウキ防護容器１６の内部において、網１８の上に設けられたウキ１７に網１８を通して結線され、浸水によりウキ１７が上昇することにより紐が引っ張られ磁性体Ｂ８が上昇することにより磁性体Ａ９に接近し、磁性体Ａ９を吸引することで導電体Ａ１３を覆っていた筒状絶縁体１２も磁性体Ａ９と一緒に移動して導電体Ａ１３と導電体Ｂ１１の接続していた部分を覆い、電流を遮断することを特徴とする請求項１に記載のブレ−カ。
【符号の説明】
【００１４】
１  接合部
２  密封部
３  バッテリ−極
４  引出線
５  導電線
６  磁性体Ｂとの連結線
７  ストッパ−
８  磁性体Ｂ
９  絶縁体Ａ
１０  導線
１１  導電体Ｂ
１２  筒状絶縁体
１３  導電体Ａ
１４  絶縁体脚
１５  ブレ−カ床
１６  ウキ防護容器
１７  ウキ
１８  網
１９  方向転換部
２０  錘
２１  リング
２２  リング固定
【図１】
2017010864.tif 000003
【図２】
2017010864.tif 000004
【図３】
2017010864.tif 000005
【図４】
2017010864.tif 000006